(57)【要約】本発明は、メス型継手との漏れのないルアースリップ接続を完了するためのマーキング手段（４）を備えたガラスルアーチップ（１）に関する。本発明はまた、そのようなマークされたガラスルアーチップ（１）を製造するための方法に関する。この方法はさらに、漏れのないルアースリップ接続を完了するためのそのようなマークされたガラスルアーチップ（１）の使用に関する。
2021524349.tif 000002
【特許請求の範囲】
【請求項１】
摩擦ばめ接続を介して対応する中空円錐形メス型継手（６）に接続されることを意図した、注射装置（３）用のガラス製の円錐台形オス型ルアーチップ（１）であって、
前記オス型ルアーチップは、ユーザーに、漏れのない接続を完了するための前記メス型継手の近位端（６ａ）をどこに配置するかを示すように構成されたマーキング手段（４）を含むことを特徴とする、ルアーチップ。
【請求項２】
前記マーキング手段は、前記チップの表面に配置された、視覚的インジケーター（４）、触覚的インジケーター、および／または、それらの組み合わせから選択されることを特徴とする、請求項１に記載のルアーチップ（１）。
【請求項３】
前記マーキング手段は、環状の形状を有することを特徴とする、請求項１または２のいずれか一項に記載のルアーチップ（１）。
【請求項４】
前記マーキング手段は、印刷（４）、彫刻、レリーフ、およびそれらの組み合わせから選択されることを特徴とする、請求項１から３のいずれか一項に記載のルアーチップ（１）。
【請求項５】
前記マーキング手段は環状印刷（４）であることを特徴とする、請求項１から４のいずれか一項に記載のルアーチップ（１）。
【請求項６】
前記チップとの漏れのないルアースリップ接続を完了するために、メス型継手の近位端をどこに配置するかをユーザーに示すように構成されたマーキング手段（４）を備えた、注射装置（３）用のガラス製円錐台形オス型ルアーチップ（１）を製造する方法であって、前記方法は以下のステップ：
‐  Ａ）ガラスからチップを予備成形するステップと、
‐  Ｂ）前記成形済みチップを焼きなましするステップと、
‐  Ｃ）チップ上に前記マーキング手段を配置する位置を決定するために、標準化された寸法を有するゲージ（８）をチップに適用するステップと、
‐  Ｄ）前記チップ（１）に前記位置で前記マーキング手段（４）を提供するステップと、
を含み、
ステップＢ）が、ステップＣ）の前またはステップＤ）の後に起こることを特徴とする方法。
【請求項７】
前記ゲージ（８）は、物理的ゲージであることを特徴とする、請求項６に記載の方法。
【請求項８】
前記物理的ゲージ（８）は、軸方向の力によって前記チップに適用されるステンレス鋼ゲージであることを特徴とする、請求項７に記載の方法。
【請求項９】
前記ゲージ（８）は、カメラによって前記チップに適用される仮想ゲージであることを特徴とする、請求項６に記載の方法。
【請求項１０】
ステップＢ）が、ステップＣ）の前に起きると、次に、ステップＤ）が、前記チップ（１）をインク印刷すること、および／または前記チップをレーザー印刷することを含むことを特徴とする、請求項６から９のいずれか一項に記載の方法。
【請求項１１】
ステップＢ）が、ステップＤ）の後に起きると、ステップＤ）が、前記チップをエナメル印刷すること、および／または、前記チップ上に形成されるガラスレリーフを含むことを特徴とする、請求項６から９のいずれか一項に記載の方法。
【請求項１２】
ステップＢ）の前に起きる、前記チップ上にセラミックコーティングを堆積するステップをさらに含むことを特徴とする、請求項６から１１のいずれか一項に記載の方法。
【請求項１３】
対応する中空円錐形メス型継手（６）との漏れのない摩擦ばめ接続を完了するため、
請求項１から５のいずれか一項に記載のガラス製の円錐台形オス型ルアーチップ（１）、または、請求項６から１２のいずれか一項に記載の方法により得られるガラス製の円錐台形オス型ルアーチップ（１）の使用。
【請求項１４】
請求項１から５のいずれか一項に記載のガラス製の円錐台形オス型ルアーチップ（１）、または、請求項６から１２のいずれか一項に記載の方法により得られるガラス製の円錐台形オス型ルアーチップ（１）と、対応する中空円錐形メス型継手（６）との間で漏れのない摩擦ばめ接続を完了するための方法であって、前記方法は、メス型継手の近位端（６a）がマークされたガラスルアーチップのマーキング手段（４）に到達するまで、前記メス型継手（６）を前記オス型ルアーチップに押してねじるステップを含むことを特徴とする方法。
【請求項１５】
請求項１から５のいずれか一項に記載のガラス製の円錐台形オス型ルアーチップ（１）、または、請求項６から１２のいずれか一項に記載の方法により得られるガラス製の円錐台形オス型ルアーチップ（１）を含むことを特徴とする、注射装置（３）。
【発明の詳細な説明】
【技術分野】
【０００１】
本発明は、注射装置用のガラス製ルアーチップに関する。漏れのない接続を得るために、ルアーチップは、ルアーチップに接続することを意図したメス型継手の近位端をどこに配置するかをユーザーに示すためのマーキング手段を有す。本発明はまた、そのようなルアーチップを製造するための方法に関する。本発明はさらに、そのようなマークされたルアーチップの使用、およびメス型継手との漏れのないルアースリップ接続を完了するためのそのようなマークされたルアーチップを使用する方法に関する。本発明はまた、そのようなマークされたルアーチップを含む注射装置に関する。
【背景技術】
【０００２】
本出願では、部品またはデバイスの遠位端は、ユーザーの手から最も遠い端部であると理解され、近位端は、ユーザーの手に最も近い端部であると理解される。同様に、本出願において、「遠位方向」は、注射装置に関して注射の方向であると理解され、「近位方向」は、注射の方向と反対の方向であると理解される。
【０００３】
注射装置の分野では、針が注射装置自体の一部ではなく、ユーザーが注射に進む準備ができたときに注射装置の先端に接続する必要がある場合がある。これは、特に注射装置の先端がガラスでできている場合に当てはまる。そのような場合、分離針とも呼ばれる別個の針が、注射装置の先端に接続されるように提供される。針を注射装置の先端に接続するために、さまざまな接続システムが利用可能である。
【０００４】
使用可能な接続の1つは、ルアースリップ接続である。このような接続は、例えばガラス製皮下注射器などの注射装置と針との間の接続を提供することを目的としている。本出願において、「ルアースリップ接続」とは、円錐台状オス型ルアーチップと対応する中空円錐メス型継手との間の摩擦ばめ接続を意味する。
【０００５】
より安全な標準医療接続を作成する必要性に応えて、接続を形成する要素の寸法に関する標準が設定されている。ＩＳＯ８０３６９ー７は、ルアースリップ接続の要素の寸法を示す規格である。標準化された寸法とは、ＩＳＯ８０３６９−７に準拠した本書面の寸法によることを意味する。
【０００６】
これらの規格によれば、注入装置の先端は、接続のオス部分とも呼ばれる、６％のテーパーを持つ円錐形の先端であるルアーで形成されている。接続のメス部分（以下、メス型継手と呼ぶ）は、針ハブまたはルアーチップの６％のテーパーと一致するように意図された内面を備えた円錐形の中空接続部分を有する他のルアー接続である。ルアースリップ接続は、ユーザーが注入装置のルアーチップをプッシュアンドツイスト（push-and-twist）方式でメス型継手に挿入する必要がある摩擦ばめ接続である。
【０００７】
接続を完了するためのプッシュアンドツイスト方式は、接続が切断される可能性が低いことを保証することになっている。メス型継手を注射装置のルアーチップにスライドさせるだけでは、確実なフィッティングが保証されない場合がある。
【０００８】
実際、注入装置の先端がガラス製の場合、ルアースリップ接続がよく使用される。いずれにせよ、注射装置の先端とメス型継手の標準化された寸法にもかかわらず、プラスチック注射器と比較して、ガラス製の部品に固有の比較的高い寸法公差のために、接続が完全に正しく確実ではない場合がある。
【０００９】
例えば、針が先端に安全に接続されていない場合、粘性薬物の注射中に針が先端から外れ、そこから排出される可能性がある。さらに、例えばメス型継手が十分に押されていない場合、製品の漏れが発生し、注射ステップが損なわれる可能性がある。
【００１０】
従って、メス型継手はプッシュアンドツイストステップの最後に正しく配置する必要がある。
【００１１】
しかし、ガラス注射装置と針を接続すると、実際には他の問題が発生する。実際、各注射装置について、ガラスルアーチップと、ニードルハブまたは他の接続デバイスなどのメス型継手との間の接続は、前記ガラスルアーチップに固有の寸法公差だけでなく、接続を実行する人間、言い換えれば、ユーザーにも依存する。各ユーザーは、独自の方向、独自のジェスチャ、特にプッシュアンドツイストジェスチャに従って、独自の力でルアーチップをメス型継手に挿入する。結果として、接続は再現できない。加えて、各ユーザーは、正しい接続とは何か、正しい接続がどのように実行されるかについて異なる感覚を持っている可能性がある。
【００１２】
その結果、ガラス製ルアーチップの寸法公差や接続を完了するユーザーによっては、一部の接続では、ルアーチップの遠位端が、メス型継手を形成している、中空コーンの遠位端に到達しない場合があり、および／または、軸方向の正しい位置に配置されていない場合がある。
【００１３】
すでに述べたように、製品の漏れはそのような状況から生じる可能性があり、注入ステップが危険にさらされる可能性がある。加えて、注入中に針がルアーチップから外れる場合がある。
【００１４】
特許文献１は、外面にリブが設けられたルアーチップを示している。いずれにせよ、この文献には、これらのリブがルアーチップのどこに正確に配置されているかは示されていない。
【先行技術文献】
【特許文献】
【００１５】
【特許文献１】国際公開第２０１８／１２２３６６号パンフレット
【発明の概要】
【発明が解決しようとする課題】
【００１６】
従って、ルアースリップ接続の場合、ユーザーがルアーチップとそれが接続されることを意図されているメス型継手との間の漏れのない接続を完了することを可能にするチップおよび／または方法が必要である。
【課題を解決するための手段】
【００１７】
本発明の第１の態様は、ルアースリップ接続を介してメス型継手に接続されることを意図した、注射装置用のガラス製オス型ルアーチップであり、前記オス型ルアーチップは、ユーザーに、漏れのない接続を完了するための前記メス型継手の近位端をどこに配置するかを示すように構成されたマーキング手段を含む。より具体的には、本発明の一態様は、摩擦ばめ接続を介して対応する中空円錐形メス型継手に接続されることを意図した、注射装置用のガラス製の円錐台形オス型ルアーチップであり、前記オス型ルアーチップは、漏れのない接続を完了するために、前記メス型継手の近位端を配置する場所をユーザーに示すように構成されたマーキング手段を含む。
【００１８】
特に、マーキング手段は、前記チップと前記メス型継手との間の漏れのない接続を完了するために、前記チップに対してメス型継手の近位端をどこに配置するかをユーザーに示すように構成される。例えば、マーキング手段は、漏れのない接続を完了し、メス型継手をどこに配置するかをユーザーに示すために、非常に特定の場所、特にオス型ルアーチップの外面に配置される。
【００１９】
本発明の別の態様は、前記チップとの漏れのないルアースリップ接続を完了するためにメス型継手の近位端をどこに配置するかをユーザーに示すように構成されたマーキング手段を備えた、注射装置用のガラス製オス型ルアーチップを製造する方法であり、前記方法は以下のステップ：Ａ）ガラスからチップを予備成形するステップと、Ｂ）前記成形済みチップを焼きなましするステップと、Ｃ）チップ上に前記マーキング手段を配置する位置を決定するために、標準化された寸法を有するゲージをチップに適用するステップと、Ｄ）前記チップに前記位置で前記マーキング手段を提供するステップと、を含み、ステップＢ）が、ステップＣ）の前またはステップＤ）の後に起こり得る。
【００２０】
言い換えると、本発明の別の態様は、前記チップとの漏れのないルアースリップ接続を完了するためにメス型継手の近位端をどこに配置するかをユーザーに示すように構成されたマーキング手段を備えた、注射装置用のガラス製円錐台形オス型ルアーチップを製造する方法であり、前記方法は以下のステップ：Ａ）ガラスからチップを予備成形するステップと、Ｂ）前記成形済みチップを焼きなましするステップと、Ｃ）チップ上に前記マーキング手段をどこに配置するか位置を決定するために、標準化された寸法を有するゲージをチップに適用するステップと、Ｄ）前記チップに前記位置で前記マーキング手段を提供するステップと、を含み、ステップＢ）が、ステップＣ）の前またはステップＤ）の後に起こり得る。
【００２１】
本発明の別の態様は、メス型継手との漏れのないルアースリップ接続を完成させるため、上記のようなガラス製のオス型ルアーチップ、または上記の方法によって得られたガラス製のルアーチップを使用することである。言い換えれば、本発明の別の態様は、対応する中空円錐形メス型継手との漏れのない摩擦ばめ接続を完成させるため、上記のようなガラス製の円錐台形ルアーチップ、または上記の方法によって得られたガラス製の円錐台形ルアーチップを使用することである 。
【００２２】
本発明の別の態様は、上記のように、または上記の製造方法によって得られたガラス製のオス型ルアーチップとメス型継手との間の漏れのないルアースリップ接続を完成させる方法であり、前記方法は、前記メス型継手の近位端が前記マーキング手段に到達するまで、前記オス型ルアーチップ上に前記メス型継手を押してねじるステップを含む。言い換えれば、本発明の別の態様は、上記のようなガラス製の円錐台形オス型ルアーチップまたは上記の方法によって得られたガラス製の円錐台形ルアーチップと対応する中空円錐形メス型継手との間の漏れのない摩擦ばめ接続を完了する方法であり、前記方法は、前記メス型継手の近位端が前記マーキング手段に到達するまで、前記メス型継手を前記オス型ルアーチップ上に押してねじるステップを含む。
【００２３】
本発明の別の態様は、上記のようにガラス製のルアーチップを含むか、または上記の製造方法によって得られる注射装置である。
【００２４】
本発明のマークされたガラス製ルアーチップおよび本発明の方法は、針ハブまたは他のルアー接続のように、前記ガラス製ルアーチップと、それが接続されることを意図されているメス型継手との間の確実で漏れのない滑り接続を達成することを可能にする。本発明のマークされたガラス製ルアーチップおよび本発明の方法のおかげで、ユーザーは、針に接続する必要がある、ある注射装置から別の注射装置へ、実行する新しい接続ごとに、彼が実行する接続が安全かつ確実であると確信することができる。実際、ルアーチップおよび本発明の方法のおかげで、寸法公差に従ったそのガラス質の性質のために、ルアーチップの寸法が、あるルアーチップから別のルアーチップへと変化し得るという事実とは関係なく、ユーザーはこの快適な感覚を持ち得る。また、ユーザーは、人間として、そのような接続を実行するたびに、あるジェスチャから別のジェスチャに、意図的かどうかに関係なく変化を適用できるという事実とは関係なく、この快適な感覚を持つ可能性がある。
【００２５】
実施形態では、マーキング手段は、前記チップの表面に配置された、視覚的インジケーター、触覚的インジケーター、および／またはそれらの組み合わせから選択することができる。従って、ユーザーはインジケーターを見るか、例えば指で感じることができる。マーキング手段は、環状の形状を有し得る。そのような実施形態は、ユーザーがマーキング手段の存在をより容易に見たり感じたりすることを可能にする。例えば、マーキング手段は、印刷、彫刻、レリーフ、およびそれらの組み合わせから選択される。実施形態では、マーキング手段は環状印刷である。
【００２６】
上記のマーク付きガラス製オス型ルアーチップの製造方法は、以下のステップ：Ａ）ガラスからチップを予備成形するステップと、Ｂ）前記成形済みチップを焼きなましするステップと、Ｃ）チップ上に前記マーキング手段をどこに配置するか位置を決定するために、標準化された寸法を有するゲージをチップに適用するステップと、Ｄ）前記チップに前記位置で前記マーキング手段を提供するステップと、を含み、ステップＢ）が、ステップＣ）の前またはステップＤ）の後に起こり得る。
【００２７】
本文書において、「標準化された寸法を有するゲージ」とは、ＩＳＯ８０３６９−７に規定された寸法を有するゲージを意味する。
【００２８】
第１のステップ、ステップＡ）において、本発明のマークされたルアーチップを製造するために、チップはガラスから予備成形される。チップは、それ自体で形成することも、ガラス注射装置のバレルと一緒に単一の部品として予備成形することもできる。この予備成形工程は、当技術分野で知られているガラス成形方法に従って完了する。
【００２９】
本発明の製造方法の第１実施形態では、ステップＡ）で得られた予め形成されたチップは、任意のマーキング手段を適用する前に焼きなましされる。
【００３０】
従って、そのような第１実施形態では、予め形成されたチップは、方法の第２のステップ、ステップＢ）に従って焼きなましされる。焼きなまし工程は、約２００℃から約８００℃の範囲の温度で実施することができる。
【００３１】
焼きなましされた予備成形されたチップが冷却されると、標準化された寸法を有するゲージが、第３のステップ、ステップＣ）でチップに適用される。このステップにより、チップ、特にチップの外面で、マーキング手段を配置する場所を決定することができる。実施形態では、ゲージは物理的ゲージである。例えば、ゲージは、軸方向の力によって前記チップに適用されるステンレス鋼ゲージであり得る。他の実施形態では、ゲージは、カメラによってチップに適用される仮想ゲージである。
【００３２】
上記のステップＣ）は、ガラス製品に固有の寸法公差のために、ガラスルアーチップの寸法があるガラスルアーチップから別のガラスルアーチップで変化する可能性があるという事実に関係なく、マーキングされる個々のガラスルアーチップのマーキング手段を配置する場所を決定することを可能にする。従って、ガラスルアーチップの寸法変化は、ステップＣ）に準拠したゲージの使用のおかげで、１つの個々のガラスルアーチップについて決定された位置の正確さに影響を及ぼさない。
【００３３】
ガラスルアーチップに対してマーキング手段を配置する場所が決定されると、前記マーキング手段は、第４のステップ、ステップＤ）に従って前記場所に提供される。ステップＤ）は、前記チップをインク印刷すること、および／または前記チップをレーザー印刷することを含み得る。例えば、環状印刷は、チップの外面上の決定された位置に印刷される。あるいは、レーザー印刷により、チップの外面の決められた位置に彫刻を行う。彫刻は、チップの表面にレリーフを形成する場合がある。
【００３４】
マークされたガラス製のルアーチップが得られ、これは、ルアースリップ接続を介してメス型継手を注射装置にしっかりと接続するために使用できる。
【００３５】
本発明の製造方法の代替の実施形態では、マーキング手段は、焼き戻しステップの前にステップＡ）で得られた予め形成されたチップに適用される。
【００３６】
そのような第２実施形態の場合、ステップＣ）は、ステップＡ）の後に実行され、標準化された寸法を有するゲージが、予め形成されたガラスチップに適用される。上記のように、ゲージは、軸力によってチップに適用され得るステンレス鋼ゲージなどの物理的ゲージ、あるいはカメラによって予め形成されたガラスチップに適用され得る仮想ゲージであり得る。第１実施形態のように、このステップは、チップ、特にチップの外面上で、マーキング手段を配置する場所を決定することを可能にする。
【００３７】
上記のように、ガラス製品に固有の寸法公差のために、ガラスルアーチップの寸法が、あるガラスルアーチップから別のガラスルアーチップで変化する可能性があるという事実に関係なく、マーキングされる個々のガラスルアーチップのマーキング手段を配置する場所を決定することを可能にする。従って、ガラスルアーチップの寸法変化は、ゲージの使用のおかげで、１つの個々のガラスルアーチップについて決定された位置の正確さに影響を及ぼさない。
【００３８】
本発明の製造方法のそのような第２実施形態では、マーキング手段は、第４のステップ、ステップＤ）に従って前記位置に提供され、これは、前記チップをエナメル印刷すること、および／または前記チップ上に形成されるガラスレリーフを含み得る。
【００３９】
例えば、エナメル質は、チップの表面上の決定された位置に環状バンドとして堆積される。あるいは、溝または隆起、例えば環状溝または環状隆起などのレリーフは、前のステップでゲージによって決定された位置に形成されるガラスによって形成され得る。
【００４０】
次のステップである焼き戻しステップＢ）では、エナメル堆積物またはガラスレリーフなどのマーキング手段を備えたガラスルアーチップが焼きなましされる。 焼きなまし工程は、約２００℃から約８００℃の範囲の温度で実施することができる。そのような焼きなましステップは、マークされたチップの形状を固定することを可能にする。
【００４１】
マークされたガラス製のルアーチップが得られ、これは、ルアースリップ接続を介してメス型継手を注入デバイスにしっかりと接続するために使用できる。
【００４２】
本発明の製造方法は、上記の第１または第２実施形態に関係なく、前記チップ上にセラミックコーティングを堆積するステップをさらに含み得る。このセラミックコーティング工程は、焼きなまし工程Ｂ）の前に行うことができる。セラミックコーティングにより、ガラスルアーチップの表面に追加の粗さを提供できるため、メス型継手をガラスルアーチップに接続したときの摩擦ばめが向上する。
【００４３】
上記のようにマークされたガラスルアーチップは、メス型継手との漏れのないルアースリップ接続を完了するために使用できる。例えば、そのような漏れのないルアースリップ接続は、メス型継手の近位端がマークされたガラスルアーチップのマーキング手段に到達するまで、メス型継手を本発明のマークされたガラスルアーチップに押してねじることによって完了することができる。メス型継手の近位端が環状印刷などのマーキング手段に到達すると、ユーザーは、メス型継手がガラスルアーチップに対して軸方向に正しく配置され、接続が安全で漏れがないことを認識する。
【００４４】
本発明のマークされたガラスルアーチップは、ガラス注射器などの注射装置の一部であり得る。
【図面の簡単な説明】
【００４５】
次に、本発明は、以下を含む同封の図面を参照して詳細に説明される。
【図１】図１は、メス型継手が接続されている過程にある本発明のマークされたガラスルアーチップの側面概略図である。
【図２】図２は、固定接続が完了した後の、マークされたガラスルアーチップと図１のメス型継手の側面概略図である。
【図３】図３は、本発明の製造方法に従って、マーキング手段をガラスルアーチップに適用するステップの概略側面図である。
【発明を実施するための形態】
【００４６】
図１を参照すると、注射装置３のガラスバレル２の遠位端に配置された本発明のガラス製のオス型ルアーチップ１を部分的かつ概略的に示す。チップ１は、ガラスバレル２に含まれる製品（図示せず）の通過および送達のためのチャネル１ｃ（点線で示されている）を備えている。
【００４７】
ガラスルアーチップ１は、ＩＳＯ８０３６９−７に準拠した６％テーパーコーンの形状をしている。それは、ガラスルアーチップ１の外面１ａに配置された環状印刷４の形状の下に、マーキング手段を備えている。ガラスルアーチップ１は、遠位端１ｂを有する。
【００４８】
図１を参照すると、ニードルハブ５も示されている。ニードルハブ５は、ガラスルアーチップ１に接続されることを意図した、メス型継手６の形態の下の中空の６％テーパーコーンを含む。メス型継手６は、針７が設けられている近位端６ａおよび遠位端６ｂを備える。
【００４９】
メス型継手６は、ルアースリップ接続を介してガラスルアーチップ１に接続されることを意図している：そのような接続によれば、メス型継手６は、図１に示す矢印ＡとＢに準拠してプッシュアンドツイスト方式でガラスルアーチップ１に載置される。
【００５０】
環状印刷４などのマーキング手段は、漏れのない接続を完了するためにメス型継手６の近位端６ａをどこに配置するかをユーザーに示すように構成される。マーキング手段は、そのような位置の視覚的指標を構成する。示されていない実施形態では、マーキング手段は、触覚インジケーターの形をとることができる。
【００５１】
例えば、マーキング手段は、彫刻および／またはレリーフの形をとることができる。
【００５２】
図２を参照すると、ルアースリップ接続が完了すると、図１のガラス製ルアーチップ１とメス型継手６が表示される。この図に示されているように、メス型継手の近位端６ａは、環状印刷４の位置に配置されている。環状印刷４に対するメス型継手６の近位端６ａのそのような位置において、ガラスルアーチップ１の遠位端１ｂは、メス型継手６の遠位端６ｂの壁と接触していることが観察され得る。従って、ガラスルアーチップ１とメス型継手６との間の接続はしっかりしており、漏れがない。
【００５３】
ユーザーは、接続が安全であり、注射ステップ中に針が外れないという事実に安心できる。
【００５４】
図３を参照して、図１および２のマークされたガラスルアーチップ１を製造するための本発明の方法のステップが示されている。
【００５５】
この方法によれば、第１のステップ（図示せず）において、注射装置のバレルおよびチップはガラスから予備成形される。あるいは、チップはそれ自体でガラスから予備成形することができる。この予備成形ステップは、よく知られたガラス成形方法に従って完了する。
【００５６】
次に、事前に形成されたチップが焼きなましされる。例えば、焼きなまし工程は、約２００℃から約８００℃の範囲の温度で実施することができる。
【００５７】
焼きなましステップはまた、焼きなまし自体の前に、チップ上にセラミックコーティングを堆積するステップを含み得る。 セラミックコーティングは、コーティングされたチップが焼きなましされると、ガラスルアーチップの表面に追加の粗さを提供することを可能にする。チップにセラミックコーティングが施されているため、後でメス型継手をガラスルアーチップに接続する際の摩擦ばめを改善できる。
【００５８】
図３を参照すると、焼きなましされ予備成形されたチップ１が冷却されると、ＩＳＯ ８０３６９−７に準拠した標準化された寸法を有するゲージ８がチップ１に適用される。ゲージ８は、図３に示される矢印Ｃに従って軸方向の力によってチップ１に適用され得るステンレス鋼ゲージなどの物理的ゲージであり得る。あるいは、ゲージは、カメラによって予め形成されたガラスチップ１に適用される仮想ゲージであり得る。
【００５９】
ゲージ８をチップ１に適用することにより、ガラス製品に固有の寸法公差により、あるガラスルアーチップから別のガラスルアーチップへガラスルアーチップの寸法が変化するという事実に関係なく、マーキングされる個々のガラスルアーチップ１ごとに、環状印刷４などのマーキング手段を配置する場所を決定することができる。従って、ガラスルアーチップの寸法変化は、本発明の方法でゲージを使用するために、１つの個々のガラスルアーチップ１について決定された位置の正確さに影響を及ぼさない。
【００６０】
ガラスルアーチップのマーキング手段を配置する場所が決定されると、マーキング手段がその場所に提供される。
【００６１】
例えば、図３を参照すると、印刷インクを供給するためのノズル９ａを備えたプリンタ９のおかげで、環状印刷４が適用される。
【００６２】
示されていない実施形態では、マーキング手段は、レーザー印刷によって決定された位置に提供される彫刻であり得る。
【００６３】
本発明の方法の代替の実施形態では、マーキング手段は、焼きなましステップの前にガラスルアーチップに適用することができる。これは、例えば、マーキング手段が、チップを形成するエナメル印刷および／またはガラスレリーフから選択される場合である。 例えば、エナメル質は、チップの表面上の決定された位置に環状バンドとして堆積される。あるいは、溝または隆起、例えば環状溝または環状隆起などのレリーフは、前のステップでゲージによって決定された位置に形成されるガラスによって形成される。
【００６４】
次に、エナメル印刷またはガラス成形によって得られたレリーフの形状を固定するために、マークされたガラスルアーチップは焼きなましされる。
【００６５】
マークされたガラスルアーチップ１が得られ、これは、図１および２に関連して説明されるように、ルアースリップ接続を介してメス型継手６を注射装置にしっかりと接続するために使用され得る。
【００６６】
本発明のマークされたガラス製ルアーチップおよび本発明の方法は、針ハブまたは他のルアー接続のように、前記ガラス製ルアーチップと、それが接続されることを意図されているメス型継手との間の確実で漏れのない滑り接続を達成することを可能にする。新しい接続ごとに、ガラスルアーチップの寸法の変化から独立して、および接続を実行する人間によって完了されるジェスチャーの変化から独立して、前記接続は、確実である。
【図１】
2021524349.tif 000003
【図２】
2021524349.tif 000004
【図３】
2021524349.tif 000005
【国際調査報告】
2021524349.tif 000006
2021524349.tif 000007